(57)【要約】【課題】狭い隙間に設置しつつ収容や回収が確実かつ容易となる紙幣識別装置を提供する。【解決手段】本発明の金券識別装置１は、筐体の前方に設けられ、金券の挿入を受け付ける挿入口３と、金券の挿入方向の後段に設けられ、挿入された金券を識別する識別部４と、識別部４で識別された金券を搬送する搬送部５と、搬送部５で搬送された金券を一時的に保管する保管部６と、保管部６に搬送される金券を、保管部６の保管領域に押し当てる押し当て部６１と、保管部６を筐体２の外部に排出する排出駆動手段８と、を備え、搬送部５および保管部６とは、挿入方向に略平行な同一平面上に配置され、搬送部４での金券を搬送する搬送駆動手段９および排出駆動手段８は、搬送部５および保管部６と、挿入方向と略垂直な位置に配置される。【選択図】図１
2014026399.tif 000002
【特許請求の範囲】
【請求項１】
筐体の前方に設けられ、金券の挿入を受け付ける挿入口と、
前記金券の挿入方向の後段に設けられ、挿入された金券を識別する識別部と、
前記識別部で識別された前記金券を搬送する搬送部と、
前記搬送部で搬送された前記金券を一時的に保管する保管部と、
前記保管部に搬送される前記金券を、前記保管部の保管領域に押し当てる押し当て部と、
前記保管部を前記筐体の外部に排出する排出駆動手段と、を備え、
前記搬送部および前記保管部とは、前記挿入方向に略平行な同一平面上に配置され、
前記搬送部での前記金券を搬送する搬送駆動手段および前記排出駆動手段は、前記搬送部および前記保管部と、前記挿入方向と略垂直な位置に配置される、金券識別装置。
【請求項２】
前記搬送駆動手段および前記排出駆動手段を収容する制御部が、前記挿入方向と略垂直方向であって前記保管部の上方もしくは下方に配置される、請求項１記載の金券識別装置。
【請求項３】
前記制御部は、前記搬送駆動手段および前記排出駆動手段に用いられるモータおよび制御回路を格納する、請求項２記載の金券識別装置。
【請求項４】
前記金券は、紙幣、プリペイドカード、ＩＣカードおよびＩＤカードの少なくとも一つを含む、請求項１から３のいずれか記載の金券識別装置。
【請求項５】
前記識別部は、前記金券の真贋および券種のそれぞれを識別する、請求項１から４のいずれか記載の金券識別装置。
【請求項６】
前記識別部は、前記金券の真贋識別の結果、贋物であると判断する場合に、前記金券を前記挿入口より筐体外部に押し戻す、請求項５記載の金券識別装置。
【請求項７】
前記識別部は、複数の発光部および発光部に対応する複数の受光部とを有し、前記発光部からの反射光および透過光の組み合わせに基づいて、前記識別部は、前記金券の真贋および券種のそれぞれを識別する、請求項５又は６記載の金券識別装置。
【請求項８】
前記搬送部は、前記搬送駆動手段によって回転される回転部材を、前記金券に押し当てることで、前記金券を搬送する、請求項１から７のいずれか記載の金券識別装置。
【請求項９】
前記保管部は、前記搬送部を搬送された前記金券を、所定枚数まで保管可能である、請求項１から８のいずれか記載の金券識別装置。
【請求項１０】
前記保管部は、前記搬送部と一体の空間に形成される、請求項１から９のいずれか記載の金券識別装置。
【請求項１１】
前記保管部は、保管する前記金券が所定数以上となった状況を通知する通知手段を更に備える、請求項１から１０のいずれか記載の金券識別装置。
【請求項１２】
前記保管部は、前記排出駆動手段の駆動に基づいて、前記筐体外部に排出可能である、請求項１から１１のいずれか記載の金券識別装置。
【請求項１３】
前記金券識別装置は、前記挿入口、前記識別部、前記搬送部および前記保管部が収容される空間領域と、前記搬送駆動手段および前記排出駆動手段に用いられる駆動部材、電子素子および回路基板が収容される部品領域と、を備え、前記空間領域と前記部品領域とは、前記金券識別装置が設置される際の上下もしくは左右のいずれかに分離される、請求項１から１２のいずれか記載の金券識別装置。
【請求項１４】
前記保管部は、前記金券を保管する保管領域と、前記保管領域を閉鎖する蓋と、を備え、前記蓋は、前記保管領域に対向する面に、前記押し当て部を備える、請求項１から１３のいずれか記載の金券識別装置。
【請求項１５】
前記蓋は開閉可能であり、開かれた蓋の裏面であって前記保管領域に対向する面に、前記押し当て部を露出させる、請求項１４記載の金券識別装置。
【請求項１６】
前記押し当て部は、前記金券に圧力を付与する押し当て板と、前記押し当て板を上下させる駆動部材と、を備え、前記押し当て板と前記駆動部材は、前記空間領域に備えられる、請求項１４又は１５記載の金券識別装置。
【請求項１７】
前記駆動部材は、第１部材と第２部材を備え、
前記第１部材は、基準位置から第１方向のみに回動可能であり、前記第１方向に回動することで、前記押し当て板を上昇させると共に前記基準位置に戻ることで、前記押し当て板を下降させ、
前記第２部材は、基準位置から前記第１方向および前記第１方向と逆の第２方向の両方に回動可能である、請求項１６記載の金券識別装置。
【請求項１８】
前記第２部材は、前記第１方向に回動する際に、前記第１部材に圧力を付与して、前記第１部材を前記第１方向に回動させ、
前記第２部材は、前記第２方向に回動する際には、前記第１部材と独立して動作する、請求項１７記載の金券識別装置。
【請求項１９】
前記駆動部材の一部は、前記部品領域に挿入可能であり、前記部品領域は、前記第２部材のみに接触可能な伝達部材と、前記伝達部材を介して、前記第２部材を回動させるモータを有する、請求項１６〜１８のいずれか記載の金券識別装置。
【請求項２０】
前記蓋が閉められる際には、前記伝達部材は、前記第２部材を前記第２方向にのみ回動させる位置関係で、前記第２部材に接触する、請求項１９記載の金券識別装置。
【発明の詳細な説明】
【技術分野】
【０００１】
本発明は、自動販売機、自動貸出機など、お金の投入に合わせて商品等を提供する機器に使用される紙幣の識別や一時的な保管を行う紙幣識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
もちろん、一般に設置されている飲料や交通切符などの自動販売機でも、同様の金券識別装置が設置される。
【０００５】
このような自動販売機や自動貸出機には、様々なスペックに対応する金券識別装置が設置される。このような金券識別装置として、いくつかの技術が提案されている（例えば、特許文献１、２参照）。
【先行技術文献】
【特許文献】
【０００６】
【特許文献１】特開２００６−２５４９７０号公報
【特許文献２】特開２００６−２６４９７７号公報
【発明の概要】
【発明が解決しようとする課題】
【０００７】
特許文献１は、挿入された紙幣を収容する収容ケースと、収容ケースに収容された紙幣を排出するための押し出しモータとを、紙幣識別および収容の機能として備える遊戯媒体貸出機を開示する。ここで、管理サーバは、リモコン機より遊技媒体貸出機に収容された紙幣の排出指令信号を出力して、この排出指令信号が遊技媒体貸出機及びネットワーク回線を介して受信された際に、複数の遊技媒体貸出機に対して所定の時間差をもって排出指令信号を出力する。このような構成によって、遊戯媒体貸出機の使い勝手を良くすることが提案されている。
【０００８】
しかしながら、特許文献１に開示される技術では、紙幣等を搬送する駆動手段や、収容される紙幣を回収する際の搬送手段に、複雑なモータや駆動機構を有しており、機械そのものが煩雑であるという問題を有していた。また、機械が煩雑であることで、小型化や薄型化が困難となり、パチンコ機やスロットマシン機の間などに設置しにくい問題も生じさせる。
【０００９】
パチンコ機やスロットマシン機を多数備える遊技場では、配置される多くのパチンコ機やスロットマシン機同士の間の隙間に、パチンコ玉やコインなどの自動貸出機を設置する必要がある。紙幣識別器はこの自動貸出機と合わせて構成されるので、紙幣識別機もパチンコ機やスロットマシン機同士の隙間に設置される必要がある。特許文献１に開示される装置では、このような隙間への設置も難しい問題がある。
【００１０】
特許文献２に開示される紙幣処理装置は、紙幣処理口から挿入された紙幣を搬送する紙幣搬送機構７と、紙幣処理口に挿入された紙幣の有効性を識別する紙幣識別センサ３１と、紙幣が挿入方向に沿って搬送状態にあり、かつ紙幣識別センサ３１が紙幣の有効性を検知しているとき、搬送状態にある紙幣の先端を湾曲案内するガイド板３９ａ，３９ｂと、紙幣搬送機構７に対して並設される紙幣収容部と、挿入された紙幣が有効であった場合、当該紙幣を紙幣処理口側に一定の距離搬送するように紙幣搬送機構７をスイッチバック制御する制御手段と、スイッチバックされた紙幣を紙幣収容部に積層収容させ、かつ次に挿入される紙幣との間で仕分けを行なう仕分け機構５０とを有する。
【００１１】
特許文献２に開示される紙幣処理装置は、紙幣の挿入と識別および収容を実現できる。しかしながら、搬送に係る駆動装置や駆動機構が、収容部や搬送部に設けられることで、装置全体が複雑となる。この結果、パチンコ機やスロットマシン機同士の隙間に設置することが困難となる問題がある。これは、特許文献１と同様である。
【００１２】
また、駆動装置や駆動機構が複雑であることで、紙幣処理装置の大きさに対する紙幣の収容枚数が少なくなったり、収容された紙幣の取り出しが面倒になったりする問題を有している。
【００１３】
このように、従来技術における紙幣処理装置や紙幣識別装置は、狭い隙間に設置が容易でありつつ、収容や取出しなどの容易性を高めることが難しい問題もあった。
【００１４】
特に、金券識別装置は、パチンコ台やゲーム機器の隙間などの、非常に狭小な空間に設置される必要が高い。この場合には、金券識別装置は、薄型化が求められる。一方で、薄型化によって、保管される金券の枚数が減少することも好ましくない。減少すれば、金券識別装置（すなわち自動販売機や自動貸出機）からの金券取り出し作業が増加し、経営効率の低下や安全性の低下が生じうるからである。
【００１５】
本発明は、上記課題に鑑み、これらの問題を解消でき、狭い隙間に設置しつつ収容や回収が確実かつ容易となる紙幣識別装置を提供することを目的とする。
【課題を解決するための手段】
【００１６】
上記課題に鑑み、本発明の金券識別装置は、筐体の前方に設けられ、金券の挿入を受け付ける挿入口と、金券の挿入方向の後段に設けられ、挿入された金券を識別する識別部と、識別部で識別された金券を搬送する搬送部と、搬送部で搬送された金券を一時的に保管する保管部と、保管部に搬送される金券を、保管部の保管領域に押し当てる押し当て部と、保管部を筐体の外部に排出する排出駆動手段と、を備え、搬送部および保管部とは、挿入方向に略平行な同一平面上に配置され、搬送部での金券を搬送する搬送駆動手段および排出駆動手段は、搬送部および保管部と、挿入方向と略垂直な位置に配置される。
【発明の効果】
【００１７】
本発明の金券識別装置は、金券の搬送に必要となる物理的領域と紙幣の搬送を実現する駆動手段とを、別領域に配置しつつ、全体として最適な構造を有することで、小型化および薄型化を実現できる。この結果、パチンコ機やスロットマシン機の隙間にも容易に設置ができる。
【００１８】
また、本発明の金券識別装置では、金券の識別、搬送、収容、回収といった各要素が、相互に悪影響を及ぼさないようにしつつ配置されるので、取扱やメンテナンスが容易になる。この結果、遊技場だけでなく様々な自動販売機や自動貸出機などに容易に適用できる。
【００１９】
加えて、本発明の金券識別装置は、挿入口、識別部、搬送部および保管部のように、紙幣などの金券が移動する領域には、必要最小限の部材のみであって、モータ、電子部品および回路基板などを設けない空間領域と、モータ、電子部品、駆動部品および回路基板などを集中的に実装した部品領域とに、大きく分かれている。
【００２０】
特に、金券識別装置が縦方向に設置される場合には、空間領域と部品領域とは大まかに上下に分離しており（装置としては一体である）、金券識別装置が横方向に設置される場合には、空間領域と部品領域とは、おおまかに左右に分離している。この結果、電子部品、モータ、回路基板などの混在がなくなり、装置の薄型化が実現されると共に、使用耐久性やメンテナンス性も向上する。
【図面の簡単な説明】
【００２１】
【図１】本発明の実施の形態１における金券識別装置の斜視図である。
【図２】図１に示される金券識別装置内部を分かるように開放した斜視図である。
【図３】本発明の実施の形態１における識別部周辺の拡大図である。
【図４】本発明の実施の形態１における紙幣５１が挿入される状態を示す模式図である。
【図５】本発明の実施の形態１における金券識別装置の内部要素を示す斜視図である。
【図６】本発明の実施の形態１における金券識別装置の内部要素の斜視図である。
【図７】本発明の実施の形態１におけるケースが排出されている状態の金券識別装置の斜視図である。
【図８】本発明の実施の形態３における金券識別装置の斜視図である。
【図９】本発明の実施の形態３における金券識別装置の斜視図である。
【図１０】本発明の実施の形態３における駆動部材周辺の拡大図である。
【図１１】本発明の実施の形態３における部品領域の一部の拡大図である。
【発明を実施するための形態】
【００２２】
本発明の第１の発明に係る金券識別装置は、筐体の前方に設けられ、金券の挿入を受け付ける挿入口と、金券の挿入方向の後段に設けられ、挿入された金券を識別する識別部と、識別部で識別された金券を搬送する搬送部と、搬送部で搬送された金券を一時的に保管する保管部と、保管部に搬送される金券を、保管部の保管領域に押し当てる押し当て部と、保管部を筐体の外部に排出する排出駆動手段と、を備え、搬送部および保管部とは、挿入方向に略平行な同一平面上に配置され、搬送部での金券を搬送する搬送駆動手段および排出駆動手段は、搬送部および保管部と、挿入方向と略垂直な位置に配置される。
【００２３】
この構成により、金券識別装置は、挿入される金券を識別しつつ、非常に薄型に構成できる。
【００２４】
本発明の第２の発明に係る金券識別装置では、第１の発明に加えて、搬送駆動手段および排出駆動手段を収容する制御部が、挿入方向と略垂直方向であって保管部の上方もしくは下方に配置される。
【００２５】
この構成により、金券識別装置は、より薄型に構成できる。
【００２６】
本発明の第３の発明に係る金券識別装置では、第２の発明に加えて、制御部は、搬送駆動手段および排出駆動手段に用いられるモータおよび制御回路を格納する。
【００２７】
この構成により、空間を必要とする要素と、部品の実装を必要とする要素との配置を分けることができる。
【００２８】
本発明の第４の発明に係る金券識別装置では、第１から第３のいずれかの発明に加えて、金券は、紙幣、プリペイドカード、ＩＣカードおよびＩＤカードの少なくとも一つを含む。
【００２９】
この構成により、金券識別装置は、幅広く使用できる。
【００３０】
本発明の第５の発明に係る金券識別装置では、第１から第４のいずれかの発明に加えて、識別部は、金券の真贋および券種のそれぞれを識別する。
【００３１】
この構成により、金券識別装置は、上位機種となりうる自動販売機や自動貸出機に、最適に使用できる。
【００３２】
本発明の第６の発明に係る金券識別装置では、第５の発明に加えて、識別部は、金券の真贋識別の結果、贋物であると判断する場合に、金券を挿入口より筐体外部に押し戻す。
【００３３】
この構成により、盗難や不正使用が防止される。
【００３４】
本発明の第７の発明に係る金券識別装置では、第５又は第６の発明に加えて、識別部は、複数の発光部および発光部に対応する複数の受光部とを有し、発光部からの反射光および透過光の組み合わせに基づいて、識別部は、金券の真贋および券種のそれぞれを識別する。
【００３５】
この構成により、金券識別装置は、高い精度で、真贋や券種を識別できる。
【００３６】
本発明の第８の発明に係る金券識別装置では、第１から第７のいずれかの発明に加えて、搬送部は、搬送駆動手段によって回転される回転部材を、金券に押し当てることで、金券を搬送する。
【００３７】
この構成により、狭い空間であっても、搬送部は、金券を搬送できる。
【００３８】
本発明の第９の発明に係る金券識別装置では、第１から第８のいずれかの発明に加えて、保管部は、搬送部を搬送された金券を、所定枚数まで保管可能である。
【００３９】
この構成により、金券識別装置は、遊戯施設などでも好適に利用できる。
【００４０】
本発明の第１０の発明に係る金券識別装置では、第１から第９のいずれかの発明に加えて、保管部は、搬送部と一体の空間に形成される。
【００４１】
この構成により、金券識別装置は、小型化・薄型化が実現できる。
【００４２】
本発明の第１１の発明に係る金券識別装置では、第１から第１０のいずれかの発明に加えて、保管部は、保管する金券が所定数以上となった状況を通知する通知手段を更に備える。
【００４３】
この構成により、金券識別装置のユーザビリティが向上する。
【００４４】
本発明の第１２の発明に係る金券識別装置では、第１から第１１のいずれかの発明に加えて、保管部は、排出駆動手段の駆動に基づいて、筐体外部に排出可能である。
【００４５】
この構成により、保管部ごと、紙幣等を取り出すことが可能である。
【００４６】
本発明の第１３の発明に係る金券識別装置では、第１から第１２のいずれかの発明に加えて、前記金券識別装置は、前記挿入口、前記識別部、前記搬送部および前記保管部が収容される空間領域と、前記搬送駆動手段および前記排出駆動手段に用いられる駆動部材、電子素子および回路基板が収容される部品領域と、を備え、前記空間領域と前記部品領域とは、前記金券識別装置が設置される際の上下もしくは左右のいずれかに分離される。
【００４７】
この構成により、保管部での金券の保管枚数をより多くした状態で、金券識別装置の薄型化・小型化が図られる。
【００４８】
本発明の第１４の発明に係る金券識別装置では、第１から第１３のいずれかの発明に加えて、前記保管部は、前記金券を保管する保管領域と、前記保管領域を閉鎖する蓋と、を備え、前記蓋は、前記保管領域に対向する面に、前記押し当て部を備える。
【００４９】
この構成により、保管部は、圧力による押し当てによって、より多くの金券を保管できる。
【００５０】
本発明の第１５の発明に係る金券識別装置では、第１４の発明に加えて、前記蓋は開閉可能であり、開かれた蓋の裏面であって前記保管領域に対向する面に、前記押し当て部を露出させる。
【００５１】
この構成により、蓋に取り付けられた押し当て部が、保管領域に、圧力を付与できる。
【００５２】
本発明の第１６の発明に係る金券識別装置では、第１４又は第１５の発明に加えて、前記押し当て部は、前記金券に圧力を付与する押し当て板と、前記押し当て板を上下させる駆動部材と、を備え、前記押し当て板と前記駆動部材は、前記空間領域に備えられる。
【００５３】
この構成により、金券の保管に必要な押し当て部材の駆動に必要な部材が、保管領域の空間余地を損なわない。
【００５４】
本発明の第１７の発明に係る金券識別装置では、第１６の発明に加えて、前記駆動部材は、第１部材と第２部材を備え、前記第１部材は、基準位置から第１方向のみに回動可能であり、前記第１方向に回動することで、前記押し当て板を上昇させると共に前記基準位置に戻ることで、前記押し当て板を下降させ、前記第２部材は、基準位置から前記第１方向および前記第１方向と逆の第２方向の両方に回動可能である。
【００５５】
この構成により、押し当て板は、半分の動作が連動し、半分の動作が分離している２つの部材によって、上下移動を行える。結果として、蓋の開閉への悪影響無く、保管領域への金券の押し当てが可能である。
【００５６】
本発明の第１８の発明に係る金券識別装置では、第１７の発明に加えて、前記第２部材は、前記第１方向に回動する際に、前記第１部材に圧力を付与して、前記第１部材を前記第１方向に回動させ、前記第２部材は、前記第２方向に回動する際には、前記第１部材と独立して動作する。
【００５７】
この構成により、第１部材の第１方向の回動のみで、押し当て板が上昇し、第１部材（第２部材）の第２方向への回動では、押し当て板は上昇しない。この結果、必要に応じて、保管部に搬送された金券を押し当ててより多く、保管を可能とする。
【００５８】
本発明の第１９の発明に係る金券識別装置では、第１６から第１８のいずれかの発明に加えて、前記駆動部材の一部は、前記部品領域に挿入可能であり、前記部品領域は、前記第２部材のみに接触可能な伝達部材と、前記伝達部材を介して、前記第２部材を回動させるモータを有する。
【００５９】
この構成により、蓋が閉じている際には、部品領域に存在するモータ等によって、駆動部材が回動されて、押し当て板の上下動作が実現される。
【００６０】
本発明の第２０の発明に係る金券識別装置では、第１９の発明に加えて、前記蓋が閉められる際には、前記伝達部材は、前記第２部材を前記第２方向にのみ回動させる位置関係で、前記第２部材に接触する。
【００６１】
この構成により、蓋が閉められるときには、押し当て板が上昇しておらず、蓋を閉めるのに邪魔とならない。
【００６２】
以下、図面を参照しながら、本発明の実施の形態を説明する。
【００６３】
（実施の形態１）
【００６４】
（全体概要）
まず、実施の形態１における金券識別装置の全体概要を説明する。図１は、本発明の実施の形態１における金券識別装置の斜視図である。図２は、図１に示される金券識別装置内部を分かるように開放した斜視図である。
【００６５】
金券識別装置１は、図１に示される状態で自動販売機や自動貸出機と合わせて設置される。例えば、自動販売機や自動貸出機に組み込まれた状態で設置される。あるいは、自動販売機や自動貸出機と連動しつつ別個に設置される。金券識別装置１が、パチンコ機やスロットマシン機などに必要な自動玉貸出機に必要である場合には、自動玉貸出機の内部もしくは一緒に設置される。このときには特に、金券識別装置１は、パチンコ機やスロットマシン機の間の隙間に設置される。このため、金券識別装置１は、図１に示されるように縦型に設置されることが多い。
【００６６】
金券識別装置１は、挿入口３、識別部４、搬送部５、保管部６、押し当て部６１、排出駆動手段８、搬送駆動手段９と、を備える。また、金券識別装置１は、これらの要素を筐体２に格納する。金券識別装置１は、筐体２によってその外形を形成できる。ここで、筐体２は、一定の奥行きと高さを有しつつ、幅の小さい薄型かつ縦型である（縦型といっても必ず縦に設置される必要があるものではなく、横に設置されれば横型の筐体である）。このため、金券識別装置１も、幅の小さな薄型の外形を有するようになる。薄型の外形であることで、狭い隙間（隙間が縦方向であれば、縦方向に設置され、隙間が横方向であれば横方向に設置される）にも、金券識別装置１が、設置される。
【００６７】
挿入口３は、筐体２の前方に設けられ、金券の挿入を受け付ける。筐体２は、金券識別装置１の外形を形成するので、挿入口３は、設置された金券識別装置１の前方に位置することになる。使用者は、この挿入口３に金券を投入する。金券は、紙幣、プリペイドカード、ＩＣカードおよびＩＤカードの少なくとも一つを含む。一般的には紙幣が金券として、挿入口３に投入されることが多いが、専用の金券や電子マネーに対応するカード媒体が投入されてもよい。
【００６８】
挿入口３に挿入された金券は、蓋２２で覆われている内部空間２１の一定の距離まで到達できる。金券の挿入方向の後段であって、挿入口３の後段には、識別部４が備わる。このため、挿入口３に挿入された金券は、識別部４の位置にまでそのまま到達できる。
【００６９】
識別部４は、挿入された金券を識別する。金券が識別部４の位置まで到達しているので、識別部４は、金券を視認することができ、この視認を介して金券の真贋および券種のそれぞれを識別できる。識別部４が、真贋や券種を識別できることで、金券識別装置１は、自動販売機や自動貸出機での処理を実行させることができる。
【００７０】
搬送部５は、挿入口３から保管部６にかけて挿入された金券を搬送する。搬送部５は、識別部４から保管部６の間に設けられる。搬送部５は、挿入された金券を搬送するために、金券を移動させるローラーなどの回転機構を有しており、この回転機構を用いて金券を搬送する。また、搬送部５は、搬送部５と別の位置に設けられる搬送駆動手段９によって、動作させられる。搬送駆動手段９は、搬送部５に設けられる回転機構を駆動する。例えば、搬送駆動手段９は、モータとモータを制御する制御回路などを有しており、制御されるモータが、回転機構を回転させて、搬送部５での金券の搬送を実現する。
【００７１】
搬送部５は、挿入口３から挿入された金券を、最終的には、搬送部５の後段に設けられる保管部６にまで搬送する。
【００７２】
保管部６は、搬送部５で搬送された金券を一時的に保管する。金券識別装置１は、自動販売機や自動貸出機で必要となる金券が挿入された後で、所定の回収まで金券を保管しておく必要がある。保管部６は、回収までの一時的な期間において、金券を保管する。金券が紙幣である場合には、保管部６は、所定枚数の紙幣を保管できる。保管部６に一時的に保管されている金券は、回収される。
【００７３】
保管部６は、搬送部５によって搬送される金券を保管する。このため、図１、図２に示されるように、搬送部５と保管部６とは、挿入方向に略平行な同一平面状に配置される。言い換えれば、搬送部５と保管部６とは、挿入方向に沿って同一直線状に設けられる。更に言えば、挿入口３、識別部４、搬送部５および保管部６とは、挿入された金券の挿入方向（搬送方向）に沿った直線状に並ぶようにして配置される。なお、ここでいう同一平面や同一直線とは、これらの要素が、大枠の中でほぼ重なる平面や直線上に位置することを意味する。すなわち、金券識別装置１全体が薄型・小型化されることが実現される意味であって、厳密に同じ直線や平面上に位置することを要求するものではない。
【００７４】
図２は、蓋２２が開けられて内部空間２１を可視状態として示している。内部空間２１に、識別部４、搬送部５、保管部６が設けられる。図２からもわかる通り、金券識別装置１では、幅の小さな筐体２の奥行き方向に、挿入口３からスタートして、金券の搬送方向に沿って、識別部４、搬送部５、保管部６の順序で配置される。すなわち、金券識別装置１は、金券の搬送と、金券の識別処理等とに無駄の無い構造を有している。この結果、金券識別装置１は、その幅を薄くできる。
【００７５】
また、保管部６は、保管している金券を収容するケース１０を有しており、回収時には、排出駆動手段８が、このケース１０を筐体２の外部に排出する。この排出によって、ケース１０に保管されている（すなわち保管部６に保管されている）金券が、回収できるようになる。金券の回収に用いられるケース１０は、保管部６に設けられており（あるいは、保管部６と同一要素であり）、上述の通り、金券の挿入方向に沿って同一直線状に配置される。すなわち、金券の排出は、金券の挿入方向に沿った同一直線状において行われる。
【００７６】
以上のように、金券の挿入から保管に加えて、保管から排出も、同一直線状において行われる構成を有することで、金券識別装置１は、幅を薄くできる。
【００７７】
また、搬送部５での搬送を駆動する搬送駆動手段９と排出駆動手段８とは、搬送部５および保管部６に対して、略垂直の位置に配置される。図１、図２に示されるように、搬送物５および保管部６の上に、制御部１００が備わっている。制御部１００は、搬送駆動手段９および排出駆動手段８を格納する。搬送駆動手段９や排出駆動手段８のそれぞれは、モータや歯車のような機械部品、回路基板や電子素子などの電子部品とを有する。これらが、搬送物５および保管部６の上方の空間に配置される制御部１００に格納されることで、搬送部５や保管部６の幅方向への悪影響が無くなる。
【００７８】
このように、機械部品や電子部品の多くが、金券を搬送させつつ保管する物理空間の上方の空間である制御部１００に格納されることで、金券識別装置１は、幅方向を薄くできる。特に、制御部１００が上方に格納されれば、金券識別装置１が横方向に設置される場合でも、高さ方向の厚みが薄くなる。この結果、実施の形態１における金券識別装置１は、狭い隙間に設置されやすくなる。
【００７９】
特に、パチンコ機やスロットマシン機の自動玉貸出機に合わせて設置される場合には、パチンコ機やスロットマシン機の間の隙間に設置される必要がある。特に、遊技場では、多数のパチンコ機やスロットマシン機が並んでいるが、多数のパチンコ機やスロットマシン機のそれぞれの間に設置されることとなる。このような隙間は小さい上に、隣接する隙間での吸収余力がない（隣接する隙間にも、金券識別装置が設置される必要があるので）。このため、金券識別装置１は、その厚みを薄くすることが重要である。
【００８０】
（１）金券の挿入、搬送、保管の一連の処理を実行する要素が、挿入方向に沿った直線上に配置され、（２）保管された金券の排出を実行する要素が（１）と同じ直線上に配置され、（３）処理の駆動や制御に関る機械部品や電子部品が、（１）と同じ直線上でありながら、垂直方向に位置する空間にまとめられる、ことで、金券識別装置１は、厚みを薄くできる。
【００８１】
なお、制御部１００は、図１、図２では、搬送部５および保管部６の上方に設けられているが、下方に設けられてもよい。いずれにしても、幅方向の厚みに悪影響を及ぼさないからである。なお、筐体２は、この高さ、幅、奥行きに合わせて形成されれば良い。
【００８２】
このような構造上の工夫によって、金券識別装置１は、所定の大きさに収まるようになる。
（使用手順）
【００８３】
次に、金券識別装置１の使用手順について説明する。
【００８４】
（挿入）
使用者は、挿入口３に金券を挿入する。金券の例として紙幣について説明する。挿入口３は、紙幣５１の大きさに合わせた形状と大きさを有したスリット状であり、使用者が紙幣５１を所定方向（長さ方向）に挿入しやすくなっている。また、一度に挿入できる枚数を制限する厚みを有している。挿入口３は、挿入された紙幣５１を識別部４に到達させる程度まで、挿入された紙幣５１が移動できるように、奥行きを有している。挿入された紙幣５１は、その先端を識別部４に到達させることができる。
【００８５】
（識別処理）
挿入口３に挿入された紙幣５１は、識別部４に到達する。識別部４は、複数の発光部およびこの発光部に対応する複数の受光部を備える。図３は、本発明の実施の形態１における識別部周辺の拡大図である。
【００８６】
識別部４は、複数の発光部と複数の受光部とを有する。この複数の発光部および複数の受光部は、それぞれ発光部と受光部の組み合わせとなったり、一つの素子で発光部と受光部を構成したりする。識別部４は、挿入される紙幣５１の真贋と券種を、これらの発光部と受光部の組み合わせに基づいて識別する。
【００８７】
複数の発光部および受光部の少なくとも一部は、挿入検知センサー４２を構成する。あるいは、複数の発光部および受光部の少なくとも一部が、識別用センサー４１を構成する。挿入検知センサー４２は、紙幣５１が挿入されたことを検知する。
【００８８】
また、識別用センサーは、発光部から紙幣５１を透過した透過光を利用したり、発光部から紙幣５１を反射した反射光を利用したりして、挿入された紙幣５１の真贋や券種を識別する。このとき、透過光や反射光の光量の変化を利用して、識別処理を実行する。
【００８９】
加えて、挿入検知センサー４２や識別用センサー４１は、透過光や反射光を、種々に組み合わせて使用するので、複数の発光部や受光部のそれぞれは、紙幣５１に対して、片方側だけに備わる場合と両方に備わる場合とがある。すなわち、紙幣５１が挿入口３から挿入されると、筐体２の内部空間２１に入ってくる。内部空間２１は、紙幣５１を基準にすると紙幣５１の両側の面のそれぞれで、紙幣５１に対向している。一方の面に複数の発光部の一部もしくは全部が配置されており、両方の面に、複数の受光部の全部もしくは一部が配置されている。
【００９０】
ここで、識別用センサー４１は、まず挿入された紙幣５１の真贋を判定する。反射光や透過光の光量の変化に基づく識別においては、予め紙幣５１によって想定される変化を閾値や参考値として記憶しておくことで、識別部４の識別用センサー４１は、紙幣５１の真贋を識別する。
【００９１】
識別部４は、このように光量の変化を閾値や参考値と比較することで、紙幣５１の真贋を判定する。例えば、紙幣５１の種類（１０００円札、２，０００円札、５，０００円札、１０，０００円札）のいずれにも該当しない周波数（波長）を、反射光や透過光が示す場合には、挿入口３から挿入されたこの紙幣５１は、偽札である可能性がある。
【００９２】
紙幣５１は、紙の種類、印刷の凸凹、印刷インクの種類などを様々に工夫してあり、反射光や透過光において、特定の周波数（波長）を示すはずだからである。本来のあるべき周波数（波長）のいずれにも合致しないということは、挿入された紙幣５１が偽札である可能性が高い。識別部４は、偽札と識別する。
【００９３】
識別部４は、内部空間２１において搬送部５と連続している。搬送部５は、搬送駆動手段９によって、挿入口３に挿入された紙幣５１を保管部６にまで搬送する。すなわち、搬送部５は、識別部４に位置する紙幣５１の搬送も行なえる。このとき、搬送駆動手段９は、挿入口３から保管部６に向けた方向の搬送だけでなく、逆側の搬送も制御できる。
【００９４】
識別部４が、挿入された紙幣５１が偽札であると判断した場合には、識別部４はその識別結果を搬送駆動手段９に通知する。通知を受けた搬送駆動手段９は、逆方向の駆動力を生じさせる。この逆方向の駆動力によって、識別部４は、偽札と識別した紙幣５１を、挿入口３から筐体２の外部に押しだす。使用者が、悪意で偽札を使用した場合であれば、当然ながら窃盗防止や犯罪防止となるからである。あるいは、使用者が気付かずに偽札を使用した場合でも、窃盗防止になるからである。
【００９５】
なお、ここでは紙幣５１を金券の一例として説明したが、専用引換券、プリペイドカード、ＩＣカードなどのいずれであっても、識別部４が贋物であると判断する場合には、搬送駆動手段９の逆駆動力を利用して、挿入された金券を、挿入口３から筐体２の外部に押し出す。
【００９６】
また、識別部４は、識別用センサー４１を用いて、挿入された紙幣５１の券種を識別する。複数の発光部から発光された光は、紙幣５１を透過する透過光と、紙幣５１で反射する反射光とに分かれる。上述のように、複数の受光部は、透過光と反射光を受けるものに分かれており、受けた透過光と反射光の光量の変化を検出する。
【００９７】
受光した透過光と反射光の光量の変化に基づいて、識別部４は、挿入された紙幣５１の券種を判断できる。紙幣５１は、１０００円、２，０００円、５，０００円、１０，０００円の４つの券種を有しているが、それぞれにおいて透過光および反射光の光量の変化は、特性を有している。識別部４は、予め、４つの券種に対応する透過光と反射光の光量の変化の閾値や参考値を記憶している。識別部４は、挿入された紙幣５１から得られる透過光と反射光の周波数（波長）を、この記憶している閾値や参考値と比較することで、挿入された紙幣５１の券種を識別できる。
【００９８】
識別部４は、挿入された紙幣５１が、例えば５，０００円札であることを識別し、制御部１００に通知する。制御部１００は、マイクロプロセッサを始めとする専用回路および実行可能なソフトウェアを有しており、制御部１００は、券種を金券識別装置１の上位に位置する自動販売機や自動貸出機に通知する。この通知を受けて、自動販売機や自動貸出機は、商品の供給や貸し出しなどの必要な処理を実行する。
【００９９】
識別部４は、このように挿入口３から挿入された紙幣５１の真贋と券種を識別し、偽札である場合には、排出するなどして盗難や犯罪を未然防止できる。
【０１００】
（搬送処理）
搬送部５は、内部空間２１に設けられ、挿入口３から保管部６にかけて同一直線状に形成される。また、搬送部５は、保管部６と一体の空間に形成される。
【０１０１】
搬送部５は、挿入口３から挿入された紙幣５１を保管部６にかけて搬送する。図４は、本発明の実施の形態１における紙幣５１が挿入される状態を示す模式図である。搬送部５は、図４に示されるように、紙幣５１が挿入口３から挿入されると、保管部６に向けて搬送させる。
【０１０２】
搬送部５は、制御部１００に備えられる搬送駆動手段９によって、紙幣５１を搬送する。このとき、搬送物は、搬送駆動手段９によって回転される回転部材を用いることで、紙幣５１を保管部６に向けて搬送する。
【０１０３】
図５は、本発明の実施の形態１における金券識別装置の内部要素を示す斜視図である。図５は、金券識別装置１の筐体２の内部の要素のみを抽出して示している。搬送物５は、回転部材５５を有している。この回転部材５５は、例えば柔軟性のある素材で形成されたタイヤ状のものであり、搬送駆動手段９によって回転させられる。
【０１０４】
回転部材５５は、挿入された紙幣５１の表面に接触して、接触圧力と回転力とをもって、紙幣５１を保管部６に向けて搬送する。もちろん、識別処理で説明したように、偽札である場合には、回転部材５５は逆回転して、紙幣５１を押し戻す方向に搬送する。
【０１０５】
搬送部５は、独立した要素としてとらえられる必要があるものではなく、搬送駆動手段９の駆動力によって、挿入口３に挿入された紙幣５１を、保管部６にまで搬送する機能を発揮する要素としてとらえられればよい。すなわち、搬送部５は、保管部６の一部としての外見を有していてもよい。要は、搬送駆動手段９の駆動力によって、紙幣５１を搬送する機能を発揮しつつ、紙幣５１の搬送空間が、挿入口３と保管部６とを結ぶ直線上に一致していることが重要である。
【０１０６】
なお、搬送部５は、紙幣５１を保管部６に搬送する際に必要とする駆動力を、搬送部５および保管部６の上方もしくは下方にある制御部１００より得る。このため、紙幣５１が実際に移動する移動空間においては、電子回路、回路基板、電子部品などが設けられず、金券識別装置１の薄型化が実現される。搬送部５は、紙幣５１の搬送方向においては（すなわち、金券識別装置１の奥行き方向において）回転部材５５などの物理的部材と物理的空間のみとなる。このため、金券識別装置１の幅は、保管する複数の紙幣５１の厚みのみで決定されるようになる。
【０１０７】
これらも踏まえて、金券識別装置１は、その幅を薄くできる。
【０１０８】
搬送部５は、紙幣５１が保管部６に到達すると、搬送処理を終了させる。
【０１０９】
（保管処理）
保管部６は、搬送部５によって搬送された紙幣５１を保管する。保管部６は、図２や図５より明らかなように、搬送部５と一体の空間であり、一定枚数の紙幣５１を保管できる厚みを有している。また、保管部６は、紙幣５１の縦横にあわせたサイズを有している（もちろん、金券が紙幣５１ではなく、プリペイドカードやＩＣカードである場合には、これらのサイズに合わせられればよい）。
【０１１０】
保管部６は、保管部６に搬送されて到達した紙幣５１を、収納しやすいように保管部６の保管可能な保管領域に押し当てる押し当て部６１を有する。図２や図５に、押し当て部６１が示されている。
【０１１１】
金券識別装置１が、縦方向に設置される場合（挿入口３が、縦方向に延伸するように設置される）には、保管部６も、奥行き方向と縦方向によって、紙幣５１に対応する。このため、保管部６は、紙幣を横方向に立てた状態で保管する。押し当て部６１は、この紙幣５１の一方の面から圧力を付与して、保管部６において十分な枚数の紙幣５１が保管されるようになる。もし、押し当て部６１が無い場合には、保管部６に到達した複数の紙幣５１同士は、大きな隙間を生じさせて、十分な枚数の保管ができなくなる。
【０１１２】
押し当て部６１は、弾性力を有しており、弾性力を用いて紙幣５１の一方の面に圧力を付与する。例えば、伸縮性のあるフレームと弾性体との組み合わせから押し当て部６１が構成されており、弾性体による弾性力によって、フレームが伸縮する。このフレームの伸縮によって、保管部６に到達する紙幣５１をある方向に押し当てる。フレームは伸縮性があるので、保管部６に保管される紙幣５１の枚数の変化に応じることが可能である。
【０１１３】
あるいは、押し当て部６１は、紙幣５１に圧力を付与する押し当て板６３と、この押し当て板の圧力を生じさせる弾性機構６２とを有することでもよい。押し当て板６３は、フレームと同様に、弾性機構６２の圧力と押し当て対象となる紙幣５１の厚みに応じて、伸縮できる。押し当て板６３が、紙幣５１に接触しながら圧力を付与できることで、保管部６に到達する紙幣５１を次々とある方向に押し当てて、保管部６において紙幣５１を保管できるようにする。
【０１１４】
図６は、本発明の実施の形態１における金券識別装置の内部要素の斜視図である。図５と対になる図であり、図５と比較して、押し当て部６１が、押し当てを進めた状態を示している。弾性力によって押し当て部６１が、より押し当てを進めることで、保管部６に保管される紙幣５１が、より密な状態で保管されるようになる。弾性機構６２が弾性力を強めて、押し当て板６３が、紙幣５１をより保管部６の保管領域に強く押し当てるようになる。
【０１１５】
保管部６は、予め備わっている幅によって、保管できる紙幣５１の制限枚数を有している。この制限枚数に対応して、保管部６は、紙幣５１を保管する。
【０１１６】
保管部６が、以上のような保管処理を行うことで、金券識別装置１に挿入された金券が、一時的に保管される。なお、保管される際には、挿入された金券の金額に対応して自動販売機や自動貸出機での販売や貸し出しの処理が終了している。
【０１１７】
（排出処理）
保管部６は、その幅によって制限される所定枚数の紙幣５１（金券）を保管する。
【０１１８】
しかしながら、所定枚数の紙幣５１が挿入されてしまうと、保管部６での保管に限界が生じる。保管部６での保管ができなくなり、挿入口３は、紙幣５１の挿入を受け付けなくなることもある。挿入を受け付けないと、当然ながら金券識別装置１は、その作業を停止しなくてはならない。
【０１１９】
また、所定枚数以上の保管が生じているだけでなく、保管部６は、一時的な保管を行うに過ぎないので、所定の時期には、保管されている紙幣５１が回収される必要がある。売上げ計算のためである。
【０１２０】
保管部６は、保管している紙幣５１と共に、筐体２の外部に排出される。保管部６が、紙幣５１と共に筐体２の外部に排出されることで、金券識別装置１の管理者や設置者は、保管部６に保管されている紙幣５１を回収できる。
【０１２１】
ここで、制御部１００に設けられている排出駆動手段８が、保管部６の筐体２外部への排出を駆動する。排出駆動手段９は、搬送駆動手段９と同様に、制御に必要な電子回路、電子部品、ソフトウェア、モータなどを備えており、モータなどの往復駆動を可能とする部材によって、保管部６を、筐体２の外部に排出できる。
【０１２２】
あるいは、保管部６は、紙幣５１の保管と筐体２外部への排出に対応するケース１０を備えており、排出駆動手段８は、このケース１０（紙幣５１が収容されている）を、筐体２の外部に排出してもよい。図７は、本発明の実施の形態１におけるケースが排出されている状態の金券識別装置の斜視図である。
【０１２３】
図７では、保管部６が備えるケース１０が、筐体２の外部に排出されている状態が示されている。図７では、金券識別装置１が、挿入口３を前にして例えばパチンコ機同士の隙間に設置される前提での構成である。このため、ケース１０は、前方（挿入口３と同じ面）から、排出されている。設置後の金券識別装置１は、前方のみしか外部に露出していないので、挿入口３と同じ前方からケース１０が排出されることは、管理者や設置者の作業にとって都合がよいからである。
【０１２４】
図７に示されるように、ケース１０は、紙幣５１を収容しており、ケース１０が排出されると、ケース１０に収容されている紙幣５１が回収可能になる。また、図７に示されるように、ケース１０の先端は、折り曲げ可能な折り曲げ部１１を有することも好適である。折り曲げ可能であることで、収容されている紙幣５１を抜き出しやすくなるからである。
【０１２５】
なお、保管部６もしくはケース１０が排出されることを説明したが、保管部６とケース１０を厳密に区別する必要はなく、保管されている紙幣５１が排出されることであればよい。保管部６は、ケース１０と一体であって、保管部６の排出とケース１０の排出が同等の意味であると考えてもよい。あるいは、保管部６における紙幣５１の実際の保管領域としてケース１０が設けられ、ケース１０の排出によって、保管されている紙幣５１が排出されると考えても良い。
【０１２６】
このように、排出駆動手段８によって、保管部６に保管されている紙幣５１が排出される。排出されることで紙幣が回収可能となり、売上げ処理等が行われる。
【０１２７】
図７からも明らかな通り、ケース１０は、挿入口３と同じ面から排出される。すなわち、挿入口３から保管部６に繋がる直線と同じ線上にて排出が行われる。また、排出駆動手段８は、保管部６の上方もしくは下方に設けられる制御部１００に備わるので、排出駆動手段８が、排出方向において阻害要因を生じさせない。この結果、挿入から排出までの全てが、一直線上において行われつつ、金券識別装置１の幅方向を不用意に大きくしすぎることもない。結果として、金券識別装置１の幅方向を小さくできる。
【０１２８】
なお、排出駆動手段８によって保管部６（ケース１０）が排出されるということは、保管されている紙幣５１が回収されるということである。金券識別装置１の設置者や管理者が、紙幣５１を回収することは問題ないが、無関係者が回収することは、盗難や犯罪に繋がる。このため、排出処理は、所定の鍵や暗証番号を必要条件として行われることが好適である。
【０１２９】
以上のように、回収処理が行われれば、金券識別装置１に保管されている紙幣５１（金券）が回収されて売上げ処理がなされる。当然ながら、紙幣５１が回収されれば、保管部６は、空になる。空になることで、保管部６は、再び紙幣５１を保管できるようになり、金券識別装置１の処理動作ができるようになる。
【０１３０】
以上のように、実施の形態１における金券識別装置１は、薄型を実現しつつ、構造の簡略化を実現できる。結果として、物理制約の多い様々な場所に設置が容易であると共に、メンテナンスなどの管理も容易となる。
【０１３１】
（実施の形態２）
【０１３２】
次に、実施の形態２について説明する。
【０１３３】
実施の形態２では、各要素の工夫や改良について説明する。
（挿入口）
【０１３４】
挿入口３は、金券の挿入を受ける。このとき、挿入を容易にするように、外側に向けて口が広がることも好適である。このように口が広がることで、使用者は金券を挿入しやすくなる。
【０１３５】
また、挿入口３は、挿入された金券の種類（紙幣であるかプリペイドカードであるか、紙幣であれば券種は何であるか）によって、異なる色を発光する発光部材を有していることも好適である。例えば、１０００円札が挿入された場合には、発光部材は赤色を生じさせ、５，０００円札が挿入された場合には、発光部材は青色を生じさせるなどである。
【０１３６】
発光部材が、金券の種類によって異なる色を生じさせることで、使用者は、自分が挿入した券種を挿入後でも把握できるので、自動販売機や自動貸出機における金銭トラブルが防止される。
【０１３７】
このとき、発光部材は、識別部４での識別結果（識別部４は、券種を識別できる）を利用して、異なる色を発光すればよい。識別部４は、識別結果を、発光部材の制御回路に通知する。この通知を受けた制御回路は、識別結果に応じた色で、発光部材を発光させる。
【０１３８】
あるいは、挿入口３は、発光部材以外の音声部材などで、挿入された金券の券種を通知してもよい。あるいは、液晶画面やＬＥＤ画面に、挿入された金券の券種を表示させてもよい（１０００円など）。
【０１３９】
このように、挿入後に挿入された金券の種類を、使用者が確認できることで、様々なトラブルを未然防止でき、金券識別装置１に対する信頼性を向上させることができる。
【０１４０】
（保管部）
保管部６は、金券を保管する。ここで、保管部６は、所定の幅を有しているので、保管できる金券の枚数には限界がある。例えば、金券が紙幣５１の場合に、保管部６は、その幅によっては１００枚程度が保管の限界であることもある。
【０１４１】
この制限枚数を超えてしまっていたり、超える寸前であったりする場合には、この金券識別装置１は、使用されるべきではないし、早期に保管部６に保管されている金券が回収されるべきである。しかしながら、金券識別装置１が設置されている場所において、保管部６に保管される金券の回収が、所定時刻であるように人為的に定められていると、このように制限枚数に近づいている状態での回収ができないこともある。こうなると、使用できない金券識別装置１が発生することになり、顧客にとっては非常に不便である。
【０１４２】
保管部６は、保管する金券が所定枚数以上となった状況を通知する通知手段を更に備えることも好適である。
【０１４３】
例えば、通知手段は、金券識別装置１の管理者に、データ、音、発光、通信等の手段で通知する。例えば、管理者の所有している携帯端末に通知が送られたり、管理者の部署に音声や光によって通知されたりする。
【０１４４】
管理者は、この通知を受けることで、通知を発光した金券識別装置１の保管部６が制限枚数もしくは制限枚数近くとなっていることを把握できる。把握できれば、管理者は、この金券識別装置１の保管部６の排出を行い、金券を回収する。金券が回収されれば、当該金券識別装置１は、再度使用されることが可能となる。
【０１４５】
なお、通知手段の判断基準となる所定枚数は、プログラマブルに設定されればよい。管理者や設置場所の特性に対応するためである。
【０１４６】
（実施の形態３）
【０１４７】
次に、実施の形態３について説明する。実施の形態３は、実施の形態１で説明した金券識別装置１の薄型化や小型化の実現の更なる工夫について説明する。まず、図８を用いて、本発明の金券識別装置１の薄型化を実現している大きな概念を説明する。図８は、本発明の実施の形態３における金券識別装置の斜視図である。
【０１４８】
金券識別装置１は、実施の形態１、２で説明した通り、必要な処理を実行しつつも、例えばパチンコ台やゲーム機の隙間などの狭小空間に設置されなければならない。このため、実施の形態１、２で説明した通り、種々の工夫で小型化および薄型化が実現されている。
【０１４９】
特に、金券識別装置１は、挿入口３、識別部４、搬送部５および保管部６のように、金券が移動する空間は、金券に直接的に接触して金券を移動させる部材を除いたモータ、電子部品、駆動部材、回路基板などを含まない。この空間は、空間領域３００であり、多くの電子部品などの実装が行われない空間である。
【０１５０】
一方、搬送駆動手段９および排出駆動手段８に用いられる駆動部材、電子部品、モータおよび回路基板が収容される部品領域２００が、存在する。すなわち、金券識別装置１は、空間領域３００と部品領域２００とに分離されており（但し、全体としては一体の装置である）、金券の搬送や保管に関る領域（空間領域３００）と、部品等の実装に関る領域（部品領域２００）とに明示的に分離されることで、金券識別装置１の小型化・薄型化が図られる。
【０１５１】
特に、図８のように、金券識別装置１が縦型に設置される場合には、空間領域３００と部品領域２００とが、上下に分離していることで（上下の別は問わない）、金券識別装置１の薄型化が図られる。加えて、空間領域３００は、部品領域２００と独立して分離しているので（モータや回路基板などが、空間領域３００に実装されない）、空間領域３００に含まれる保管部６が保管できる金券の枚数が増加する。
【０１５２】
金券識別装置１は、自動販売機や自動貸出機と共に使用されるが、保管部６内部の金券が満杯近くなると、作業者によって金券の回収が行われる必要がある。保管部６の保管可能枚数が少ないと、回収作業の回数が多くなり（回収作業のインターバルが短くなり）、作業者にとっては手間である。もちろん経営効率も悪い。利用者にとっても、不便が大きい。また、回収作業の回数が多いということは、遊技場などで遊んでいる顧客の前で回収作業をしなければならなくなり、盗難などの問題も生じる。
【０１５３】
このように、金券識別装置１は、薄型化が求められるが、保管部６における金券の保管枚数を減らすことは好ましくない。図８を用いて説明したように、空間領域３００と部品領域２００とが、上下（あるいは左右）に分離している場合には、薄型を実現しつつも、保管部６における保管枚数の減少を防止できる。
【０１５４】
このように、保管部６の保管枚数を維持するために、各種モータ、電子部品、駆動部品、回路基板を、部品領域２００に集中的に実装する場合には、保管部６において挿入されてくる金券を押し当てる押し当て部６１の駆動処理に工夫が必要となる。
【０１５５】
図９は、本発明の実施の形態３における金券識別装置の斜視図である。図９は、保管部６に備わっている蓋６５が開いた状態を示している。
【０１５６】
保管部６は、挿入口３を通じて搬送された金券が保管される。実際には、保管部６は、金券を保管する保管領域６３と、この保管領域６３に対向する（保管領域６３を閉じるための）蓋６５を備えている。蓋６５は、開閉可能であり、図９では、この蓋６５が開いている。蓋６５が開いていることで、保管部６が実際に金券を保管する保管領域６３が見えるように露出されている。
【０１５７】
また、蓋６５の裏面（保管領域６３に対向する面）に、押し当て部６１が装着されている。この押し当て部６１が、保管部６に到達した金券を、保管領域６３側に押し付けて、より多くの金券を保管できるようにする。このため、蓋６５が開かれると、押し当て部６１が露出するようになる。
【０１５８】
ここで、押し当て部６１は、金券に圧力を付与する押し当て板６６と、この押し当て板６６を上下させる駆動部材６９とを備える。押し当て部６１が、空間領域３００に設けられるので、この押し当て板６６と駆動部材６９とは、この空間領域３００に備えられる。ただ、口述の通り、駆動部材６９の先端の一部のみは、開口部２０１から部品領域２００に入り込むことが可能である。ただ、要素の配置としては、押し当て板６６と駆動部材６９とは、空間領域３００に配置されるものである。駆動部材６９は、押し当て板６６を上下させることで、押し当て板６６を金券の押さえつけに用いることができる。
【０１５９】
ここで、駆動部材６９は、第1部材６７と第2部材６８とを備える。図１０は、本発明の実施の形態３における駆動部材周辺の拡大図である。図１０は、駆動部材６９が、第１部材６７および第２部材６８を備えており、それぞれの動作を示している。矢印で示す第１方向に、第１部材６７が回動すると、押し当て板６６が上昇する。
【０１６０】
駆動部材６９は、押し当て板６６を上下させるが、押し当て板６６が上に上がったままでは、蓋６５を閉めることができない。蓋６５を閉める際には、押し当て板６６は、下に（蓋６５側に）下がっている必要がある。一方、蓋６５が閉まった後では、押し当て板６６が必要に応じて上下して、保管領域６３に対して、金券を押し付けることが必要となる。駆動部材６９が、第１部材６７と第２部材６８とに分かれているのは、このような要望に対応できるためである。
【０１６１】
第１部材６７は、基準位置から第１方向のみに回動可能である。この第１方向に回動することで、押し当て板６６を上昇させる。また、第１方向に回動している状態が開放されて第１部材６７が基準位置に戻るにつれて、押し当て板６６は下降する。
【０１６２】
一方、第２部材６８は、基準位置から第１方向にも、これと逆の第２方向にも回動可能である。また、第２部材６８は、第１方向に回動する場合には、第１部材６７に圧力を付与して第１部材６７を第１方向に回動させる。第１部材６７は、このように第２部材６８からの圧力で第１方向に回動し、この回動によって、押し当て板６６を上昇させる。
【０１６３】
一方、第２部材６８は、第２方向に回動する場合には、第１部材６７とは独立して回動する。すなわち、第１部材６７を動かすことがない。この結果、第２方向に動く場合には、第２部材６８は、第１部材６７の回動を生じさせない。
【０１６４】
まず、蓋６５の裏面には、押し当て板６６は、第1部材６７の第1方向の回動によって上昇して、金券を保管領域６３に押し当てる。このとき、第２部材６８からの圧力を受けることで、連動的に第１部材６７が回動して、押し当て板６６の上昇を生じさせる。一方、第２部材６８による第１部材６７への圧力が開放されると、第１部材６７は、第１方向に動いていた位置から基準位置に戻るので、押し当て板６６が下降して、金券の保管領域６３への押しつけが解除される。
【０１６５】
これは、蓋６５が閉まっている状態で生じる。
【０１６６】
金券識別装置１は、通常においては所定の場所に設置されるので、蓋６５は閉まっている。蓋６５が閉まっている状態では、第１部材６７および第２部材６８の先端は、開口部２０１に挿入される。開口部２０１は、部品領域２００に繋がっており、この部品領域２００には、図１１に示されるように、伝達部材が備わっている。
【０１６７】
図１１は、本発明の実施の形態３における部品領域の一部の拡大図である。部品領域２００内部において、回路基板２２０の一部と、第１部材６７および第２部材６８に関る伝達部材２１０が示されている。伝達部材２１０は、図示されていないモータと接続されており、このモータによって伝達部材２１０が回転する。
【０１６８】
ここで、電対部材２１０は、第２部材６８とのみ接触可能である。このため、蓋６５が示されて、第１部材６７および第２部材６８が、開口部２０１から部品領域２００にその先端を挿入させるときには、第２部材６８の先端のみが、伝達部材２１０に接触する。加えて、第２部材６８が基準位置から第１方向に動くことの無いような位置関係で、伝達部材２１０は、第２部材６８のみに接触する。
【０１６９】
このため、蓋６５を閉めたときには、第２部材６８が、第１方向に動くことは無くなり、結果的に、第２部材６８によって第１部材６７が第１方向に回動することもない。このため、蓋６５が閉まる際には、押し当て板６６が上昇していることはない。このため、蓋６５が閉めにくくなったり、閉められなくなったりすることもない。言い換えれば、伝達部材２１０は、第２部材６８を第２方向にも回動させる位置関係で、蓋６５が閉められる。
【０１７０】
モータは、その回転によって伝達部材２１０を回転させる。このとき、伝達部材２１０は、凸部２２１を有したカムとなっており、この凸部２２１が第２部材６８を第１方向に回動させる圧力を付与する。この圧力によって、第２部材６８は、第１方向に回動を開始する。このとき、第２部材６８は、第１方向においては、第１部材６７に圧力を付与して、第１部材６７を回動させるようになる。この回動によって、押し当て板６６が上昇（保管領域６３に近づき）し、保管部６に搬送された金券が、保管領域６３に押し当てられる。押し当てられれば、当然に保管領域６３には多くの枚数の金券が保管されるようになる。
【０１７１】
このように、押し当て板６６の動作によって、薄型を維持したまま、多くの金券を、保管部６は、保管できる。特に、押し当て板６６の上下動作を可能とするモータや伝達部材２１０は、保管部６のある空間領域３００ではなく、部品領域２００に実装されるので、保管部６の保管領域６３がそもそも狭くされることが無い。
【０１７２】
加えて、保管部６のメンテナンスや金券の回収のために、保管部６は、蓋６５を備えて、蓋６５の開閉を必要とする。このときも、押し当て板６６の上下移動が蓋６５の開閉時に生じないことで、蓋６５の開閉への悪影響も無い。
【０１７３】
このように、実施の形態３における金券識別装置１は、保管できる金券の枚数を維持しながら、より薄型・小型で、更には使い勝手のよいものとなる。
【０１７４】
なお、実施の形態１〜３で説明された金券識別装置は、本発明の趣旨を説明する一例であり、本発明の趣旨を逸脱しない範囲での変形や改造を含む。
【符号の説明】
【０１７５】
１    金券識別装置
２    筐体
３    挿入口
４    識別部
４１    識別用センサー
４２    挿入検知用センサー
５    搬送部
５５    回転部材
６    保管部
６１    押し当て部
６３    保管領域
６５    蓋
６７    第１部材
６８    第２部材
６９    駆動部材
８    排出駆動手段
９    搬送駆動手段
１０    ケース
５１    紙幣
２００    部品領域
２１０    伝達部材
２１１    凸部
２２０    回路基板
３００    空間領域
【図１】
2014026399.tif 000003
【図２】
2014026399.tif 000004
【図３】
2014026399.tif 000005
【図４】
2014026399.tif 000006
【図５】
2014026399.tif 000007
【図６】
2014026399.tif 000008
【図７】
2014026399.tif 000009
【図８】
2014026399.tif 000010
【図９】
2014026399.tif 000011
【図１０】
2014026399.tif 000012
【図１１】
2014026399.tif 000013